(57)【特許請求の範囲】
【請求項１】
室内面に沿って敷設される輻射パネルを備え、当該輻射パネルに設けられた熱媒管路に熱媒を通流させて室内の空調を行う輻射式空調システムであって、
前記輻射パネルが、輻射用型材と器具類取付用型材との夫々を複数並設して構成され、
前記輻射用型材が、良熱伝導性材料からなると共に前記熱媒管路が直線状に設けられて当該熱媒管路の管軸方向に沿って延出形成された型材であり、
前記器具類取付用型材が、器具類を取り付け可能な器具類取付面部が前面側に設けられて帯状に延出形成された型材であり、
前記輻射パネルが、前記輻射用型材を複数並設すると共に、当該輻射用型材の隣接間に一又は複数の前記器具類取付用型材を介装して構成され、
前記輻射用型材が、前記熱媒管路が設けられた管路部と、当該管路部から前面側に突出してなる支持部と、当該支持部の先端から幅方向に延出してなる帯状の輻射面部とを有して構成されて、
前記輻射面部の幅が、前記管路部の幅よりも大きく、且つ、隣接間に隙間が形成されて前記器具類取付面部の前方側を開放する幅に設定されている輻射式空調システム。
【請求項２】
前記器具類取付用型材が、良熱伝導性材料からなり、
前記輻射パネルにおいて、互いに隣接する前記輻射用型材と前記器具類取付用型材との間で熱伝導可能に構成されている請求項１に記載の輻射式空調システム。
【請求項３】
前記輻射パネルにおいて、互いに隣接する前記輻射用型材と前記器具類取付用型材との間に良熱伝導性材料の熱伝導スペーサを介装する請求項２に記載の輻射式空調システム。
【請求項４】
前記輻射パネルにおいて、前記器具類取付用型材と前記輻射用型材の管路部とが隣接配置されている請求項２又は３に記載の輻射式空調システム。
【請求項５】
前記輻射パネルにおいて、互いに隣接する前記輻射用型材と前記器具類取付用型材との間に通気路として機能する隙間が設けられている請求項１〜４の何れか１項に記載の輻射式空調システム。
【請求項６】
前記輻射パネルにおいて、前記器具類取付用型材の器具類取付面部が、前記輻射用型材の前面側に設けられた輻射面部よりも後退した位置に配置されている請求項１〜５の何れか１項に記載の輻射式空調システム。
【請求項７】
前記輻射パネルにおいて、前記輻射用型材及び前記器具類取付用型材が、当該型材の後面側を横断するレール部材に対して固定されている請求項１〜６の何れか１項に記載の輻射式空調システム。
【発明の詳細な説明】
【技術分野】
【０００１】
本発明は、熱輻射により室内の空調を行う輻射式空調システムに関する。
【背景技術】
【０００２】
近年、省エネルギー性と快適性のニーズに対して、冷風や温風を直接室内に吹き出すことなく熱エネルギーの授受（以下、「熱輻射」と呼ぶ。）を行って室内の空調を行う輻射式空調システムが注目されている。
かかる輻射式空調システムは、熱媒管路を設けた輻射パネルを天井面などの室内面に沿って敷設し、その熱媒管路に温水や冷水などの熱媒を通流させることで、輻射パネルにより室内への熱輻射や室内空気との熱交換を行って、室内の冷暖房を行うように構成されている（例えば、特許文献１及び２を参照。）。
【０００３】
更に、特許文献１及び２に記載の輻射式空調システムの輻射パネルは、アルミニウムなどの良熱伝導性（低熱抵抗）材料からなると共に熱媒管路が直線状に設けられて当該熱媒管路の管軸方向に沿って延出形成された長尺の輻射用型材（特許文献１の「放射パネル単体６」、及び、特許文献２の「パネル本体１」を参照）を複数並設して構成されている。
具体的に、複数の輻射用型材が互いに近接させた状態で等間隔に並設され、これら互いに並設された複数の輻射用型材が、当該型材の延出方向と交差する方向を長手方向とするレール部材（特許文献１の「横材５」を参照）や天井下地に対して固定されている。
【先行技術文献】
【特許文献】
【０００４】
【特許文献１】特開２０１０−１９０４４４号公報
【特許文献２】特開平０７−０１９５３３号公報
【発明の概要】
【発明が解決しようとする課題】
【０００５】
このような従来の輻射式空調システムの輻射パネルは、複数の輻射用型材を互いに近接させた状態で並設した状態で一体化されており、互いに隣接する輻射用型材の隣接間には、例えば輻射用型材同士を連結するための部品程度が設けられる場合があるものの、その他のものを設置するようには構成されていない。また、快適な空調を行うためには、室内面においてできるだけ広範囲に亘って輻射パネルを敷設することが望まれる。
しかしながら、天井部などの室内面では、このような輻射パネルに加えて、照明器具などの各種器具類を設置する必要があるため、従来の輻射パネルでは、器具類の設置箇所との干渉を回避した領域に敷設する必要があった。したがって、室内面における器具類の設置箇所が制限されたり、輻射パネルの外観形状が器具類の設置箇所を回避した統一感の無い形状となって室内側から見た室内面側の美観を損ねたり、室内面全体に亘って輻射パネルを敷設できずに室内全体の快適な空調を実現できなくなるなどの問題があった。
【０００６】
この実情に鑑み、本発明の主たる課題は、熱輻射により室内の空調を行う輻射式空調システムにおいて、快適な空調を実現しつつ、室内側から見た室内面側の美観を損なうことなく、室内面における器具類の設置箇所の自由度を確保することができる技術を提供する点にある。
【課題を解決するための手段】
【０００７】
本発明の第１特徴構成は、
室内面に沿って敷設される輻射パネルを備え、当該輻射パネルに設けられた熱媒管路に熱媒を通流させて室内の空調を行う輻射式空調システムであって、
前記輻射パネルが、輻射用型材と器具類取付用型材との夫々を複数並設して構成され、
前記輻射用型材が、良熱伝導性材料からなると共に前記熱媒管路が直線状に設けられて当該熱媒管路の管軸方向に沿って延出形成された型材であり、
前記器具類取付用型材が、器具類を取り付け可能な器具類取付面部が前面側に設けられて帯状に延出形成された型材であり、
前記輻射パネルが、前記輻射用型材を複数並設すると共に、当該輻射用型材の隣接間に一又は複数の前記器具類取付用型材を介装して構成され、
前記輻射用型材が、前記熱媒管路が設けられた管路部と、当該管路部から前面側に突出してなる支持部と、当該支持部の先端から幅方向に延出してなる帯状の輻射面部とを有して構成されて、
前記輻射面部の幅が、前記管路部の幅よりも大きく、且つ、隣接間に隙間が形成されて前記器具類取付面部の前方側を開放する幅に設定されている点にある。
【０００８】
本特徴構成によれば、室内に面する室内面に沿って敷設される輻射パネルには、輻射用型材だけでなく、輻射用型材と器具類取付用型材とが夫々複数並設されている。そのため、室内の状況に合わせて輻射パネルの適切な箇所に上記器具類取付用型材を配置し、その器具類取付用型材の前面側（室内の中心に向かう側）に設けられた器具類取付面部に器具類を取り付けることができる。
【０００９】
即ち、室内面に沿って輻射パネルを敷設するにあたり、室内の状況に合わせて器具類を適切な箇所に配置する場合においても、その器具類の設置箇所との干渉を考慮する必要がない。よって、輻射パネルの外観形状を自由に設定して室内側から見た室内面側の美観を向上させることができ、更には、輻射パネルを室内面のできるだけ広範囲に亘って敷設することで、快適な空調を実現することができる。
【００１０】
したがって、本発明により、熱輻射により室内の空調を行う輻射式空調システムにおいて、快適な空調を実現しつつ、室内側から見た室内面側の美観を損なうことなく、室内面における器具類の設置箇所の自由度を確保することができる技術を提供することができる。
【００１２】
本特徴構成によれば、輻射パネルにおいて、隣接間に器具類取付用型材を介装させる形態で、複数の輻射用型材の配置間隔を適度に確保することができる。よって、輻射パネルにおいて、輻射用型材の設置領域をできるだけ広くしながら、その輻射用型材の密度を適度なものとすることができる。すると、室内全体に対して広範囲で且つ適度な熱輻射を行って、空調の快適性を一層向上させることができる。
更に、輻射用型材においては、熱媒が通流する熱媒管路が設けられた管路部に対して、当該管路部から前面側に突出してなる支持部を通じて、当該支持部の先端から幅方向に延出してなる輻射面部が熱交換可能な状態で接続されていることになる。よって、この輻射面部において室内に対して比較的広範囲に熱輻射を行うことができる。
【００１３】
本発明の第２特徴構成は、
前記器具類取付用型材が、良熱伝導性材料からなり、
前記輻射パネルにおいて、互いに隣接する前記輻射用型材と前記器具類取付用型材との間で熱伝導可能に構成されている点にある。
【００１４】
本特徴構成によれば、熱媒管路が設けられた輻射用型材のみで熱輻射を行うのではなく、隣接する良熱伝導性材料からなる器具類取付用型材においても熱輻射を行うことができる。よって、輻射パネルにおいて、室内に対する熱輻射可能な有効面積（以下、「輻射面積」と呼ぶ場合がある。）をできるだけ広くすることができる。すると、室内全体に対して広範囲で且つ適度な強度の熱輻射を行って、空調の快適性を一層向上させることができる。
【００１５】
本発明の第３特徴構成は、
前記輻射パネルにおいて、互いに隣接する前記輻射用型材と前記器具類取付用型材との間に良熱伝導性材料の熱伝導スペーサを介装する点にある。
【００１６】
本特徴構成によれば、互いに隣接する輻射用型材と器具類取付用型材との間で熱伝導可能に構成するにあたり、両型材の間に、良熱伝導性材料の熱伝導スペーサを介装することで、輻射用型材と器具類取付用型材とに対する密着性を向上することができ、輻射用型材と器具類取付用型材との間で良好な熱伝導を実現することができる。
【００１７】
本発明の第４特徴構成は、
前記輻射パネルにおいて、前記器具類取付用型材と前記輻射用型材の管路部とが隣接配置されている点にある。
【００１９】
本特徴構成によれば、熱媒が通流する熱媒管路が設けられた管路部に対して、器具類取付用型材が熱伝導可能な状態で隣接配置されているので、管路部と器具類取付用型材との間の熱伝導距離をできるだけ短くして熱抵抗を減らし、器具類取付用型材においても室内に対して良好な熱輻射を行うことができる。
本発明の第５特徴構成は、
前記輻射パネルにおいて、互いに隣接する前記輻射用型材と前記器具類取付用型材との間に通気路として機能する隙間が設けられている点にある。
【００２０】
本発明の第６特徴構成は、
前記輻射パネルにおいて、前記器具類取付用型材の器具類取付面部が、前記輻射用型材の前面側に設けられた輻射面部よりも後退した位置に配置されている点にある。
【００２１】
本特徴構成によれば、器具類取付用型材の器具類取付面部が、輻射用型材の前面側に突出した位置にある輻射面部よりも後退した位置に配置されているので、当該器具類取付面部に取り付けた器具類を、輻射面部よりも室内側に突出しないように配置したり、その器具類の突出量をできるだけ小さくすることができるので、室内側から見た室内面側の美観を向上させることができる。
【００２２】
更に、輻射用型材において輻射面部の幅を管路部の幅よりも大きく設定すれば、隣接する器具類取付用型材との間に形成される隙間を当該輻射面部により覆い隠して、室内側から見た美観を一層向上させることができる。
【００２３】
本発明の第７特徴構成は、
前記輻射パネルにおいて、前記輻射用型材及び前記器具類取付用型材が、当該型材の後面側を横断するレール部材に対して固定されている点にある。
【００２４】
本特徴構成によれば、複数の輻射用型材及び器具類取付用型材を並設してなる輻射パネルにおいて、それら型材を後面側に配置されたレール部材に固定することで、当該輻射パネルを一体の構造物としてユニット化することができ、室内面に対して予めユニット化された輻射パネルを支持固定するなどして、室内面に対する輻射パネルの敷設施工を簡略化することができる。
【図面の簡単な説明】
【００２５】
【図１】輻射パネルの敷設状態を示す斜視図
【図２】輻射パネルの立断面図
【図３】輻射パネルの立断面における拡大図
【図４】輻射用型材のレール部材に対する固定方法を説明する説明図
【図５】輻射パネルのパネル部分の着脱状態を示す図
【図６】輻射パネルにおける大型器具類取付用型材の配置状態を示す立断面図
【図７】図６に示す輻射パネルの室内から見た平面図
【発明を実施するための形態】
【００２６】
本発明に係る輻射空調システムの実施形態について図面に基づいて説明する。
本実施形態の輻射空調システムは、図１及び図２に示すように、室内Ｒに面する天井面（室内面の一例）に沿って敷設される輻射パネル１を備える。
【００２７】
この輻射パネル１は、天井スラブ（図示省略）から垂下する吊りボルト５０により野縁受け５１Ａを介して吊り下げられた野縁５１Ｂ（天井下地の一例）の下面に対して、一対の固定部５２，５３により固定されている。詳しくは、一方側の固定部５２において、輻射パネル１の上面側（後面側）に設けられたレール部材３０の上面に固定され水平方向に延出する爪部５２ａが、野縁５１Ｂの下面に形成された溝部５２ｂに差し込まれ、その後、他方側の固定部５３において輻射パネル１のレール部材３０の上面に固定されたブラケット部５３ａと野縁５１Ｂの下面に固定されたブラケット部５３ｂとが螺子止め固定される。
【００２８】
このように天井面に沿って敷設される輻射パネル１には、別途設置された熱源機（図示所略）により加熱又は冷却された温水や冷水などの熱媒が通流する熱媒管路Ｌが設けられている。この熱媒管路Ｌに熱媒を通流させることにより、輻射パネル１により室内Ｒへの熱輻射や室内Ｒの空気との熱交換が行われて、室内Ｒの冷暖房が行われる。
尚、本実施形態では、熱媒管路Ｌは、輻射パネル１の上面側を蛇行状に這う可撓性の熱媒パイプＰの内部に形成された管路として設けられている。
【００２９】
そして、この輻射空調システムは、特徴的な輻射パネル１の構造を採用することで、快適な空調を実現しつつ、室内Ｒ側から見た天井面側の美観を損なうことなく、天井面における器具類の設置箇所の自由度を確保することができ、その特徴について、以下に説明を加える。
【００３０】
輻射パネル１は、図２に示すように、輻射用型材１０と器具類取付用型材２０との夫々を複数並設して構成されており、このように並設配置された輻射用型材１０及び器具類取付用型材２０は、その型材１０，２０の上面側を横断するレール部材３０に固定されることで、輻射パネル１は一体の構造物としてユニット化されている。即ち、輻射パネル１がユニット化されることで、天井面に対して予めユニット化された輻射パネル１を支持固定するなどして、輻射パネル１の敷設施工が簡略化されている。
【００３１】
図２及び図３に示すように、輻射用型材１０は、良熱伝導性材料であるアルミニウム製であると共に、熱媒管路Ｌが直線状に設けられて当該熱媒管路Ｌの管軸方向（図２及び図３における奥行き方向）に沿って延出形成された押出型材で構成されている。
具体的に、輻射用型材１０は、熱媒管路Ｌが設けられた管路部１１と、当該管路部１１から下面側に突出してなる支持部１２と、当該支持部１２の先端から幅方向（図２及び図３における左右方向）に延出してなる輻射面部１３とを有して構成されている。
【００３２】
尚、この管路部１１は、熱媒管路Ｌを内部に形成する熱媒パイプＰが上面側から挿入されて当該熱媒パイプＰを外嵌する上面が開口する断面Ｕ字状のパイプ保持溝１１ａを上面に有する部位として形成されている。更に、支持部１２及び輻射面部１３は、この管路部１１の下面から下向きに延出しその延出端から幅方向に延出するというような逆傘状の部位として形成されている。また、この輻射面部１３の下面が凸状に湾曲する輻射面１３ａとして形成されており、これにより輻射面１３ａからの熱輻射の立体角が拡大されている。
【００３３】
このように構成された輻射用型材１０では、熱媒管路Ｌが設けられた管路部１１に対して、支持部１２を通じて輻射面部１３の輻射面１３ａが熱交換可能な状態で接続されていることになる。よって、輻射式の冷暖房を行うにあたり、この輻射面１３ａにおいて室内Ｒに対して比較的広範囲に熱輻射が行われることになる。
【００３４】
輻射用型材１０はレール部材３０に対して所定の固定用部材４０によって固定されており、以下に、その固定方法の詳細について、図３及び図４に基づいて説明を加える。
固定用部材４０は、板状のフランジ部４１と、そのフランジ部４１の中心部に溶接固定されて同フランジ部４１の法線方向に延出するボルト部４２と、そのボルト部４２に螺結するナット４３からなる。
また、輻射用型材１０のパイプ保持溝１１ａの両縁部には、上記フランジ部４１の厚みよりも若干大きい幅を有する一対の係止溝１１ｂが形成されており、一方、レール部材３０には、パイプ保持溝１１ａの中心部に相当する位置において同パイプ保持溝１１ａの延出方向に沿って切り欠かれたＵ字状の切り欠き部３１が形成されている。
上記フランジ部４１は、平行四辺形に形成されており、その平行四辺形における一対の長辺間の距離がパイプ保持溝１１ａの幅よりも十分に小さいものとされており（図４（ａ）参照。）、一方、その平行四辺形における一対の短辺間の距離がパイプ保持溝１１ａの幅よりも大きく且つ上記一対の係止溝１１ｂ夫々の底部間の距離よりも若干小さいものとされている（図４（ｂ）参照。）。
【００３５】
そして、レール部材３０に対して輻射用型材１０を固定するにあたり、先ず、図４（ａ）に示すように、パイプ保持溝１１ａにおいて、レール部材３０の切り欠き部３１よりもその開口部側に離間した位置に、固定用部材４０のフランジ部４１を、そのフランジ部４１の長手方向をパイプ保持溝１１ａの延出方向に沿わせる姿勢で挿入する。
次に、図４（ｂ）に示すように、その挿入した固定用部材４０のフランジ部４１を、ボルト部４２の軸心を中心に回転させて、そのフランジ部４１における一対の短辺をパイプ保持溝１１ａの両縁部に形成された一対の係止溝１１ｂに挿入させると共に、図４（ｃ）に示すように、フランジ部４１における一対の短辺を一対の係止溝１１ｂに挿入させた状態のまま、固定用部材４０をレール部材３０の切り欠き部３１側にスライドさせて、ボルト部４２を切り欠き部３１に挿入させ、その状態で、ボルト部４２にナット４３を螺結させる。
すると、輻射用型材１０に形成された一対の係止溝１１ｂに係止された固定用部材４０のフランジ部４１がレール部材３０の切り欠き部３１側に引き寄せられる状態で、輻射用型材１０がレール部材３０に固定されることになる。
尚、図４では、図４（ｃ）のスライドに先立って図４（ｂ）の回転を行うように示したが、逆に、固定用部材４０をスライドさせた後に回転させても構わない。
【００３６】
また、上記係止溝１１ｂに係止されたフランジ部４１と、パイプ保持溝１１ａに挿入された熱媒パイプＰの上面との間には、弾性材料からなるスペーサ７０が圧縮状態で介装されている。このことにより、熱媒パイプＰはパイプ保持溝１１ａに対して付勢されることになるので、熱媒パイプＰの外面とパイプ保持溝１１ａの内面との密着性が向上し、それらの間の熱伝導が促進されることになる。
【００３７】
図２及び図３に示すように、器具類取付用型材２０についても、輻射用型材１０と同様に、良熱伝導性材料であるアルミニウム製の押出型材で構成されている。
具体的に、器具類取付用型材２０は、鉛直方向に立設する一対のフランジ部２２と、その一対のフランジ部２２の間に亘って設けられ水平方向に延出する器具類取付面部２１とからなる型材として構成されている。尚、本実施形態の器具類取付用型材２０は、断面Ｈ字状の型材としているが、その断面形状はＨ字状に限定することなく適宜改変可能である。
【００３８】
このように構成された器具類取付用型材２０では、器具類取付面部２１の下面が室内Ｒに対して開放された状態となるため、その器具類取付面部２１に、照明器具Ｋ１や給排気口Ｋ２などのように、天井面に設ける必要がある各種器具類Ｋを螺子やビス等の種々の固定手段により取り付けることができる。
即ち、天井面に沿って敷設される輻射パネル１の器具類取付用型材２０に対して器具類Ｋを取り付けることができるので、その器具類Ｋの設置箇所と輻射パネル１との干渉を考慮する必要がなく、器具類Ｋを適切な箇所に取り付けることができ、更には、輻射パネル１の外観形状が、器具類Ｋを取り付ける箇所を回避させたような統一感の無い形状となることはない。
よって、室内Ｒ側から見て輻射パネル１が敷設される天井面の美観が損なわれるとの問題がなく、更には、輻射パネル１を天井面のできるだけ広範囲に亘って敷設することで、室内Ｒの快適な空調が実現されることになる。
【００３９】
器具類取付用型材２０についても、輻射用型材１０と同様に、レール部材３０に対して所定の固定用部材４５によって固定される。
即ち、器具類取付用型材２０の上面に形成された一対の係止溝２３に係止された固定用部材４５のフランジ部４６が、当該フランジ部４６から延出するボルト部４７に対してナット４８を螺結することにより、レール部材３０の切り欠き部３１側に引き寄せられる状態で、器具類取付用型材２０がレール部材３０に固定されることになる。
尚、本実施形態では、六角ボルトを固定用部材４５として利用しており、その六角ボルトの頭部がフランジ部４６として機能する。
【００４０】
輻射パネル１において、複数の輻射用型材１０と器具類取付用型材２０とは交互に配置されている。言い換えれば、輻射用型材１０が複数並設されていると共に、その輻射用型材１０の隣接間に一の器具類取付用型材２０が介装されている。
このことで、複数の輻射用型材１０の配置間隔が適度に確保されて、輻射用型材１０の設置領域が広くなり、輻射用型材１０の密度が適度なものとなる。よって、室内Ｒ全体に対して広範囲で且つ適度な熱輻射が行われ、空調の快適性が一層向上されている。
更に、器具類取付用型材２０についても同様に、配置間隔や設置領域を適度に設定することができるので、器具類取付用型材２０に取り付けられる器具類Ｋを、室内Ｒにおける人数などの状況に応じて配置することができる。
【００４１】
このように構成された輻射パネル１において、図３に示すように、器具類取付用型材２０において器具類Ｋが取り付けられる器具類取付面部２１は、輻射用型材１０において支持部１２の先端から幅方向に延出してなる輻射面部１３よりも上面側（後面側）に後退した位置に配置されている。
具体的には、器具類取付用型材２０において器具類取付面部２１の両端に設けられたフランジ部２２と、輻射用型材１０において最も上面側に配置された管路部１１の両側壁部とが、水平方向において互いに対向する姿勢に配置されている。
このことで、器具類取付面部２１に取り付けた器具類Ｋを、輻射面部１３よりも下方側に突出しないように配置したり、その器具類Ｋの突出量をできるだけ小さくでき、室内Ｒ側から見た天井面側の美観が向上する。
【００４２】
更に、図２に示すように、輻射パネル１において、互いに隣接する輻射用型材１０と器具類取付用型材２０との間、具体的には、器具類取付用型材２０のフランジ部２２と、輻射用型材１０の管路部１１との間には、適宜熱伝導可能に構成するべく、良熱伝導性材料の熱伝導スペーサ６０が適宜設けられている。
このことで、熱媒管路Ｌが設けられた輻射用型材１０のみで室内Ｒに対する熱輻射が行われるのではなく、隣接する器具類取付用型材２０においても室内Ｒに対する熱輻射が行われることになって、室内Ｒ全体に対して広範囲で且つ適度な強度の熱輻射が実現される。
尚、この熱伝導スペーサ６０の材質としては、アルミニウムなどの良熱伝導性金属としても構わないが、樹脂やシリコーンなどのエラストマーにセラミックスフィラーなどの良熱伝導性フィラーを高充填した比較的可撓性が高いものを利用することで、輻射用型材１０や器具類取付用型材２０に対する密着性を向上させて、両型材１０，２０間の熱伝導を良好なものとすることができる。
【００４３】
尚、輻射用型材１０と器具類取付用型材２０との間において、熱伝導スペーサ６０を設けることなく、隙間６５を形成すれば、その隙間６５が通気路として機能して、輻射パネル１の上方側の空間と下方側の室内Ｒとの間の対流による空調が促進する。
【００４４】
更に、図５に示すように、本実施形態における輻射パネル１は、一部の領域にあるパネル部分１Ａにおける輻射用型材１０Ａ、器具類取付用型材２０Ａ、及びそれらが固定されるレール部材３０Ａを、他の領域にある部材に対して別体に構成することで、輻射パネル１において当該パネル部分１Ａのみを着脱可能に構成することができる。このように輻射パネル１から一部の領域にあるパネル部分１Ａを取り外すことで、その上面側に配置された熱媒パイプＰが室内Ｒ側に露出する開口部が形成され、その開口部を介して、連続して配置される熱媒パイプＰの接続部の着脱やその他のメンテナンス等を行うことができる。
また、パネル部分１Ａを取り外した領域には、例えば、図６及び図７に示すように、通常の器具類取付用型材２０よりも幅が広い大型器具類取付用型材２５を固定具２５ａなどで取り付けて、その大型器具類取付用型材２５の器具類取付面部２６に火災センサＫ３などのように比較的大きな器具類Ｋを取り付けることもできる。
【００４５】
〔別実施形態〕
（１）
上記実施形態では、室内面としての天井面に沿って輻射パネル１を敷設したが、別に、室内面としての室内Ｒに面する側壁面に沿って輻射パネル１を敷設しても構わない。
【００４６】
（２）
上記実施形態では、器具類取付用型材２０，２５に取り付ける器具類Ｋとして、照明器具Ｋ１、給排気口Ｋ２、火災センサＫ３を例示したが、音響器具やスプリンクラーノズルなど、別の器具類Ｋを取り付けても構わない。
また、器具類取付用型材２０，２５の器具類取付面部２１，２６に器具類Ｋを取り付けるにあたり、器具類取付面部２１，２６の室内Ｒ側の面に器具類Ｋを取り付けて当該器具類Ｋ全体を室内Ｒに露出させるようにしても構わないが、例えば図６に示すように、器具類取付面部２１，２６に形成した穴に器具類Ｋを挿入した状態で固定し、器具類Ｋの必要な部分を室内Ｒに露出させ、他の不必要な部分を器具類取付面部２１，２６により隠すようにすれば、室内Ｒ側から見た天井面側の美観を向上させることができる。
【００４７】
（３）
上記実施形態では、一の輻射パネル１において、複数の輻射用型材１０と器具類取付用型材２０とを交互に配置したが、例えば、互いに隣接する２つの輻射用型材１０の間に複数の器具類取付用型材２０を配置するなどのように、輻射用型材１０と器具類取付用型材２０との配置方法については適宜改変可能である。
【産業上の利用可能性】
【００４８】
本発明は、快適な空調を実現しつつ、室内側から見た室内面側の美観を損なうことなく、室内面における器具類の設置箇所の自由度を確保することができる輻射式空調システムに好適に利用できる。
【符号の説明】
【００４９】
１        ：輻射パネル
１０      ：輻射用型材
１１      ：管路部
１２      ：支持部
１３      ：輻射面部
１３ａ    ：輻射面
２０，２５：器具類取付用型材
２１      ：器具類取付面部
３０      ：レール部材
６０      ：熱伝導スペーサ
Ｋ        ：器具類
Ｌ        ：熱媒管路
Ｒ        ：室内
【図１】
0006355195.tif 000002
【図２】
0006355195.tif 000003
【図３】
0006355195.tif 000004
【図４】
0006355195.tif 000005
【図５】
0006355195.tif 000006
【図６】
0006355195.tif 000007
【図７】
0006355195.tif 000008